(57)【要約】【課題】無線通報受信機に、無線式警報器から送信されたデータの受信電界強度に関する閾値を設定することなく、センタ監視装置にて、無線式警報器と無線通報受信機との間の無線電波環境の変化を監視し、受信電界強度に関する閾値処理により警告することが可能なシステムを提供する。【解決手段】無線通報受信機２は、無線式警報器１からデータを受信したときに、受信電界強度を検出し、検出した受信電界強度の値を付加して、無線式警報器１から受信したデータをセンタ監視装置３へ送信する。センタ監視装置３は、無線通報受信機２から送信された受信電界強度の値を受信する毎に記憶し、その受信電界強度の値に関する所定の条件に達すると、表示及び／又は音で警告する警告手段を有する。【選択図】図１
2009175919.tif 000002
【特許請求の範囲】
【請求項１】
通報すべきデータを無線通信で送信する無線式警報器と、該無線式警報器から送信されたデータを受信し、該受信したデータを通信回線を介して送信する無線通報受信機と、該無線通報受信機から送信されたデータを前記通信回線を介して受信するセンタ監視装置とを備えた無線通報システムであって、
前記無線通報受信機は、前記無線式警報器からデータを受信したときに、受信電界強度を検出し、該検出した受信電界強度の値を付加して、前記無線式警報器から受信したデータを前記センタ監視装置へ送信し、
前記センタ監視装置は、前記無線通報受信機から送信された受信電界強度の値を受信する毎に記憶し、該受信電界強度の値に関する所定の条件に達すると警告する警告手段を有することを特徴とする無線通報システム。
【請求項２】
請求項１に記載の無線通報システムであって、前記警告手段は、前記所定の条件として、前記受信電界強度の閾値を設定する閾値設定手段を有し、前記無線通報受信機から受信した受信電界強度の値が、前記閾値設定手段で設定した閾値以下になったときに警告することを特徴とする無線通報システム。
【請求項３】
請求項１に記載の無線通報システムであって、前記警告手段は、前記所定の条件として、前記受信電界強度の閾値と回数を設定する閾値設定手段を有し、前記無線通報受信機から受信した受信電界強度の値が、前記閾値設定手段で設定した閾値以下に連続してなった回数が、前記閾値設定手段で設定した回数になったときに警告することを特徴とする無線通報システム。
【発明の詳細な説明】
【技術分野】
【０００１】
本発明は、無線通報システムに関し、より詳細には、設置後の電波状況を監視することができる、無線式火災警報器等の無線式警報器、無線通報受信機、及びセンタ監視装置を備えた無線通報システムに関する。
【背景技術】
【０００２】
従来から、緊急時や一定間隔で通報を行うために、無線通報システムが利用されている。この無線通報システムは、住宅等に設置された無線式火災警報器等の無線式警報器と、無線式警報器からの通報を受信するために同じく住宅等に設置された無線通報受信機と、複数の無線通報受信機からの通報を、ガス事業者等のサービス提供者が監視できるようにするために設置されたセンタ監視装置とを備えている。
【０００３】
このような無線通報システムでは、無線式警報器から火災警報や定期通報などの通報データを対向する無線通報受信機に送る場合、一般的な通信方式として単向通信方式を採用している。
【０００４】
単向通信方式は、無線式警報器の無線送信部から火災警報や定期通報等の通報データを対向する無線通報受信機の無線受信部に一方的に無線送信する方法であるが、無線式警報器に無線受信部を持たなくて良いため、消費電力も小さく安価に構成できるという利点がある。
【０００５】
このような無線通報システムにおいては、利用者宅で無線式警報器を移動したり、無線式警報器付近の家具を移動することにより、無線通信障害（電波が弱くなる、電波ノイズ発生源に近づく等）が起こる。従って、サービス提供者は通常時からセンタ監視装置に上がってくる定時通報データを取得することによって、無線式警報器と無線通報受信機間に通信障害がないことを監視している。
【０００６】
例えば、特許文献１には、無線機を新規に設置する場合、運用時に無線通信ができるかどうかの確認が容易に行え、設置後に電波状況の変化が発生した場合でもより高い通信品質の確保ができる無線通信装置が開示されている。上述の無線通報受信機に相当するこの無線通信装置は、無線信号を受信する受信部と、無線信号の電界強度を測定する電界強度測定部と、無線信号の電文を解析して、無線信号が、電波状況を確認するテスト通信であることを示すテスト信号であるかどうかを判断する電文解析部と、無線信号がテスト信号であった場合に、電界強度測定部により測定された電界強度が予め設定された閾値よりも小さいかどうかを判定して、電界強度が閾値よりも小さいときに、エラー報知を行う制御部とを備える。
【特許文献１】特開２００６−３３３０９０号公報
【発明の開示】
【発明が解決しようとする課題】
【０００７】
しかしながら、無線通報受信機で受信した受信電界強度が設定した閾値よりも小さいときにエラー報知を行う特許文献１に記載のごとき装置においては、無線通報受信機に閾値を指定する必要がある。そして、設置環境によって電波状況が変わることを考慮すると、利用者宅毎（無線通報受信機毎）に閾値設定を行わなければならない。
【０００８】
本発明は、上述のごとき実情に鑑みてなされたものであり、無線通報受信機に、無線式警報器から送信されたデータの受信電界強度に関する閾値を設定することなく、センタ監視装置にて、無線式警報器と無線通報受信機との間の無線電波環境の変化を監視し、受信電界強度に関する閾値処理により警告することが可能な無線通報システムを提供することを、その目的とする。
【課題を解決するための手段】
【０００９】
上述の課題を解決するために、本発明の第１の技術手段は、通報すべきデータを無線通信で送信する無線式警報器と、該無線式警報器から送信されたデータを受信し、該受信したデータを通信回線を介して送信する無線通報受信機と、該無線通報受信機から送信されたデータを前記通信回線を介して受信するセンタ監視装置とを備えた無線通報システムであって、前記無線通報受信機は、前記無線式警報器からデータを受信したときに、受信電界強度を検出し、該検出した受信電界強度の値を付加して、前記無線式警報器から受信したデータを前記センタ監視装置へ送信し、前記センタ監視装置は、前記無線通報受信機から送信された受信電界強度の値を受信する毎に記憶し、該受信電界強度の値に関する所定の条件に達すると警告する警告手段を有することを特徴としたものである。
【００１０】
第２の技術手段は、第１の技術手段において、前記警告手段は、前記所定の条件として、前記受信電界強度の閾値を設定する閾値設定手段を有し、前記無線通報受信機から受信した受信電界強度の値が、前記閾値設定手段で設定した閾値以下になったときに警告することを特徴としたものである。
【００１１】
第３の技術手段は、第１の技術手段において、前記警告手段は、前記所定の条件として、前記受信電界強度の閾値と回数を設定する閾値設定手段を有し、前記無線通報受信機から受信した受信電界強度の値が、前記閾値設定手段で設定した閾値以下に連続してなった回数が、前記閾値設定手段で設定した回数になったときに警告することを特徴としたものである。
【発明の効果】
【００１２】
本発明の無線通報システムによれば、無線通報受信機に、無線式警報器から送信されたデータの受信電界強度に関する閾値を設定することなく、センタ監視装置にて、無線式警報器と無線通報受信機との間の無線電波環境の変化を監視し、受信電界強度に関する閾値処理により警告することが可能となる。
【発明を実施するための最良の形態】
【００１３】
図１は、本発明に係る無線通報システム（緊急無線通報システム）の一構成例を示すブロック図、図２は、図１の緊急無線通報システムにおける定期通報を説明するための図である。図１及び図２において、１は無線式警報器、２は無線通報受信機、３はセンタ監視装置である。
【００１４】
図１で説明する緊急無線通報システムは、利用者宅に設置した複数の無線式警報器１と、同じく利用者宅に通常１台（複数でも可）設置した無線通報受信機２と、サービス提供者が持つセンタ監視装置３とで構成される。
【００１５】
無線式警報器１は、電池駆動の無線式火災警報器や無線式ガス漏れ警報器や無線式各種センサ機器等である。無線式警報器１は、利用者宅で火災等を検知するセンサ部１３と、センサ部１３で火災等が検知されると即時に火災通報等のデータを無線通報受信機２に無線送信する無線送信部１１と、それらを制御する制御部１２とを備える。尚、無線式警報器１は、緊急を要する火災警報のデータだけでなく、定期通報、電池切れ通報、故障通報、テスト通報などの通報データを送信する。また、各無線式警報器１は個々にＩＤ等の識別可能な情報を保持し、通報データにこのＩＤを含ませておくことが好ましい。
【００１６】
無線通報受信機２は、無線式警報器１から送信された火災通報データ等の通報データを受信する無線受信部２１と、その受信電界強度を測定（検出）する受信電界強度測定部（受信電界強度検出部）２３と、無線受信部２１で受信した通報データに測定した受信電界強度の値を付加して、公衆回線等の通信回線を介してセンタ監視装置３に伝送する通信部２４と、それらを制御する制御部２２とを備える。
【００１７】
また、無線通報受信機２は個々にＩＤ等の識別可能な情報を保持しており、センタ監視装置３に送信する通報データにこのＩＤを含ませておくとよい。このとき、無線式警報器１のＩＤも合わせて送信することが好ましいが、送信しなくてもよい。また、無線式警報器１のＩＤが存在するのであれば、無線通報受信機２のＩＤは特に通報データに含ませなくてもよい。
【００１８】
センタ監視装置３は無線通報受信機２と公衆回線等の通信回線にて接続され、無線通報受信機２から送信された受信電界強度の値が付加された通報データを受信する通信部３１と、受信した通報データのうち少なくとも受信電界強度の値及び無線通報受信機２のＩＤ（及び無線式警報器１のＩＤ）を記憶する記憶部３４と、表示部３２と、それらを制御する制御部３３とを備える。
【００１９】
表示部３２は、無線通報受信機２からの受信電界強度の値を監視するために設けられており、センタ監視装置３は、受信電界強度の値に関する所定の条件に達すると、警告する警告手段を有する。この警告手段の一例が、所定の条件に達するか否かを判定する制御部３３と、達したときにその旨を表示して警告する表示部３２とでなる。所定の条件は制御部３３内のＥＥＰＲＯＭ等のメモリに格納しておいてもよいし、記憶部３４に格納しておいてもよい。また、センタ監視装置３は無線通報受信機２のＩＤ（及び無線式警報器１のＩＤ）を元に、無線通報受信機２及び／又は無線式警報器１やその利用者を特定し、警告の内容には無線通報受信機２のＩＤ及び／又は無線式警報器１のＩＤの情報や利用者情報も含めておく。
【００２０】
また、警告は、警告表示と併せて或いは警告表示の代わりに、図示しないスピーカ等でブザー音や音声出力を行うように、制御部３３が制御することで実行してもよい。このように警告表示（及び／又は警告音）でセンタ監視装置３にて火災通報等を確認したサービス提供者は、利用者が指定する連絡先や近隣の消防署に連絡するとよい。
【００２１】
図２を併せて参照し、定期通報を例に挙げてこの緊急無線通報システムの動作例を説明する。まず、無線式警報器１が自器のＩＤを付加して定期通報データを無線送信部１１にて送信し、無線通報受信機２がそれを無線受信部２１にて受信する（ステップＳ１）。そして、無線通報受信機２が、受信時に受信電界強度測定部２３にて測定した受信電界強度の値を、制御部２２にて定期通報データに付加し、通信部２４から公衆回線を介してセンタ監視装置３に送信し、センタ監視装置３の通信部３１がそれを受信する（ステップＳ２）。
【００２２】
センタ監視装置３は、通信部３１にて受信した定期通報データを制御部３３にて解析し、得られた受信電界強度の値と無線式警報器１のＩＤを関連付けて記憶部３４にて記憶する。
【００２３】
このように、無線通報受信機２では、受信電界強度測定部２３で受信電界強度を測定するのみで、測定した受信電界強度を解析するのはセンタ監視装置３となる。また、定期通報においては、定期的に通報データを受信できるため、過去の受信電界強度が履歴として記憶される。そして、制御部３３は、受信電界強度がある所定の条件となった場合に表示部３２に警告を表示し、サービス提供者に無線電波環境が悪化した旨を警告する。ここでは、定期通報を例に説明したが、定期通報に限らず、火災警報、電池切れ通報、故障通報、テスト通報においても、履歴の記憶動作も含めて同様の動作となる。
【００２４】
以上説明したように、本発明に係る無線通報システムにおいては、センタ監視装置３側で上述の所定の条件を設定しておけばよいため、無線通報受信機２毎に設置場所にて所定の条件を設定する必要がない。また、所定の条件は、記憶部３４に記憶された履歴を元に、自動的に或いはサービス提供者が更新していってもよい。さらに、この無線通報システムでは、無線式警報器１と無線通報受信機２間の受信電界強度の履歴をセンタ監視装置３にて監視し、従来のように無線通報受信機２で警告する訳ではないので、不要な警告をすることのない、精度の高い警告をすることができる。
【００２５】
図３は、図１の緊急無線通報システムにおける警告動作の他の例を説明するためのフロー図である。図３で説明する他の実施形態に係る緊急無線通報システムでは、センタ監視装置３に、所定の条件として、予め受信電界強度の閾値を設定しておく。つまり、本実施形態では、上述の警告手段は、受信電界強度の閾値を設定する閾値設定手段を有する。なお、本実施形態においても、図１及び図２で説明した実施形態と、その応用例などは同様とする。
【００２６】
まず、センタ監視装置３において、通信部３１が無線通報受信機２からの通報データを受信すると（ステップＳ１１）、制御部３３が、それを記憶部３４に記憶させる制御を行うと共に、受信した通報データに付加された受信電界強度の値と閾値とを確認する（ステップＳ１２）。そして、制御部３３が、受信した受信電界強度の値が設定した閾値以下になったか否かを判定する（ステップＳ１３）。ステップＳ１３でＹＥＳの場合、制御部３３が表示部３２に警告表示を行う制御を行い（ステップＳ１４）、閾値以下にならなかった場合（ＮＯの場合）には、警告表示をせずに動作を終了する。なお、ステップＳ１３では、閾値以下になったか否かを判定しているが、閾値を下回ったか否かを判定してもよい。
【００２７】
以上、本実施形態に係る緊急無線通報システムにおいては、図１及び図２で説明した実施形態の効果を奏すると共に、個々の無線式警報器１及び無線通報受信機２に、実際の設置環境に応じて受信電界強度の閾値を指定することができるので、不要な警告をすることのない、精度の高い警告を行うことができる。
【００２８】
図４は、図１の緊急無線通報システムにおける警告動作の他の例を説明するためのフロー図で、図５は、図１の緊急無線通報システムにおいて図４の警告動作を行う場合の警告画面例を示す図である。表示部３２での警告画面例を説明する。
【００２９】
図４及び図５で説明する他の実施形態に係る緊急無線通報システムでは、センタ監視装置３に、所定の条件として、予め受信電界強度の閾値と回数（指定回数）とを設定しておく。つまり、本実施形態では、上述の警告手段は、受信電界強度の閾値と指定回数とを設定する閾値設定手段を有する。この指定回数とは、受信電界強度の閾値以下に連続してなってはいけない回数を指す。なお、本実施形態においても、図３で説明した受信電界強度の閾値のみを使用した実施形態と、その応用例などは同様とする。
【００３０】
まず、センタ監視装置３において、図３のステップＳ１１〜Ｓ１３と同様の処理を行う（ステップＳ２１〜Ｓ２３）。そして、ステップＳ２３でＹＥＳの場合、制御部３３が、記憶部３４から過去の履歴を読み出し閾値以下に連続してなった回数が指定回数以上となったか否かを判定する（ステップＳ２４）。ステップＳ２４でＹＥＳの場合、制御部３３が、表示部３２に警告表示を行う制御を行う（ステップＳ２５）。それ以外の場合（ステップＳ２３でＮＯの場合やステップＳ２４でＮＯの場合）には、制御部３３は警告表示をせずに動作を終了する。なお、ステップＳ２４では、指定回数以上となったか否かを判定しているが、指定回数を超過したか否かを判定してもよく、その場合、指定回数とは受信電界強度の閾値以下に連続して下回ることを許容する回数を指すことになる。
【００３１】
ステップＳ２５での警告表示例を図５を参照して説明する。警告表示は、警告画面４０のように、受信日時やＩＤや通報内容と共に通信状況を、時系列に履歴４１として表示させることで行うことが好ましい。図５では、受信電界強度に対する閾値として、上述した閾値に相当する第１閾値の他に、第１閾値よりも強度の高い閾値として第２閾値を使用した場合の例である。
【００３２】
通信状況としては、凡例４２として表示させたように、受信電界強度の値が第１閾値以下とならず且つ第２閾値以下とならない場合には通信状況に正常として受信データの表示を緑色で表示し、受信電界強度の値が第２閾値以下で第１閾値より大きい場合には通信状況に注意として受信データの表示を黄色で表示し、受信電界強度が第１閾値以下となる場合には通信状況に警告として受信データの表示を赤色で表示する。なお、ここでは指定回数について述べていないが、いずれも指定回数を考慮した判定がなされている。
【００３３】
以上、本実施形態に係る緊急無線通報システムにおいては、図３で説明した実施形態の効果を奏すると共に、閾値以下となる度に警告するのではなく（つまり閾値以下となっても直ぐに警告せず）、過去の受信電界強度を利用し連続して閾値以下になった回数により警告することができるので、無線電波環境の変化が正確に監視でき、不要な警告をすることのない、精度のさらに高い警告を行うことができる。また、第１閾値だけでなく、第２閾値を設定することで、受信電界強度が第１閾値と第２閾値との間の場合には、警告表示より弱い意味合いの注意表示を行うこともできる。
【００３４】
なお、第２閾値及びそれを用いた注意表示は、図３で説明した実施形態でも同様に適用できる。また、図１及び図２で説明した実施形態や図３で説明した実施形態でも、図５の警告画面４０のような、受信日時、ＩＤ、通報内容、通信状況といった項目を含む警告表示や履歴による警告表示が可能である。
【図面の簡単な説明】
【００３５】
【図１】本発明に係る無線通報システム（緊急無線通報システム）の一構成例を示すブロック図である。
【図２】図１の緊急無線通報システムにおける定期通報を説明するための図である。
【図３】図１の緊急無線通報システムにおける警告動作の他の例を説明するためのフロー図である。
【図４】図１の緊急無線通報システムにおける警告動作の他の例を説明するためのフロー図である。
【図５】図１の緊急無線通報システムにおいて図４の警告動作を行う場合の警告画面例を示す図である。
【符号の説明】
【００３６】
１…無線式警報器、２…無線通報受信機、３…センタ監視装置、１１…無線送信部、１２…無線式警報器の制御部、１３…センサ部、２１…無線受信部、２２…無線通報受信機の制御部、２３…受信電界強度測定部、２４…無線通報受信機の通信部、３１…センタ監視装置の通信部、３２…表示部、３３…センタ監視装置の制御部、３４…記憶部。
【図１】
2009175919.tif 000003
【図２】
2009175919.tif 000004
【図３】
2009175919.tif 000005
【図４】
2009175919.tif 000006
【図５】
2009175919.tif 000007